(57)【要約】【課題】  快適な睡眠空間を実現できる通気性に優れた枕を提供すること。【解決手段】  枕本体１０を有し、枕本体１０の上面と下面に夫々収容部１３が形成され、収容部１３に所定の間隔で複数の凸部１４が設けられると共に、中央に凹部１５が形成され、収容部１４と凹部１５の底部に複数の円錐状の通気孔１６が形成され、枕本体１０の内部に通気孔１６と連通する複数の連通孔１７が形成されている。【選択図】  図１
0003110529.tif 000002
【実用新案登録請求の範囲】
【請求項１】
枕本体を有し、
該枕本体の上面と下面に夫々収容部が形成され、
該収容部に所定の間隔で複数の凸部が設けられると共に、中央に凹部が形成され、
該収容部と凹部の底部に複数の円錐状の通気孔が形成され、
枕本体の内部に該通気孔と連通する複数の連通孔が形成されることを特徴とする、
通気性に優れた枕。
【請求項２】
前記枕本体の上面と下面に夫々湾曲面が形成され、又、枕本体は異なる素材の上部と下部を組合せてなり、該上部と下部の外側に前記収容部、凸部、通気孔及び凹部が設けられると共に、該上部と下部の内側に複数の半円形の湾曲溝が形成され、湾曲溝が前記連通孔と互いに対応するように上部と下部を組合せたことを特徴とする、請求項１に記載の通気性に優れた枕。
【請求項３】
前記収容部に優れた通気性を有するネット部材が設けられることを特徴とする、請求項２に記載の通気性に優れた枕。
【考案の詳細な説明】
【技術分野】
【０００１】
本考案は、特に快適な睡眠空間を実現できる通気性に優れた枕に関するものである。
【背景技術】
【０００２】
従来の枕は、内部にコットンや軟性の充填物を充填したり、或いは発泡性材料を射出成形したものによって一体形成したりすることにより製造される。
【考案の開示】
【考案が解決しようとする課題】
【０００３】
しかしながら、内部にコットンや軟性の充填物を充填した従来の枕は、優れた通気性を有するが、頭と頚部の支持効果が悪く、一方、発泡性材料からなる枕は、優れた支持効果を有するが、快適性に優れないという問題があった。
【０００４】
又、内部にコットンや軟性の充填物を充填し、或いは発泡性材料からなる枕は、通気性に優れないという欠点を有するので、使用する際、睡眠時の姿勢によっては窒息してしまうという問題があった。
【０００５】
そこで、考案されたのが本考案であって、本考案は快適な睡眠空間を実現できる通気性に優れた枕を提供することを目的とする。
【課題を解決するための手段】
【０００６】
本願の第１考案は、枕本体を有し、該枕本体の上面と下面に夫々収容部が形成され、該収容部に所定の間隔で複数の凸部が設けられると共に、中央に凹部が形成され、該収容部と凹部の底部に複数の円錐状の通気孔が形成され、枕本体の内部に該通気孔と連通する複数の連通孔が形成されることを特徴とする通気性に優れた枕を提供する。
【０００７】
本願の第２考案は、前記枕本体の上面と下面に夫々湾曲面が形成され、又、枕本体は異なる素材の上部と下部を組合せてなり、該上部と下部の外側に前記収容部、凸部、通気孔及び凹部が設けられると共に、該上部と下部の内側に複数の半円形の湾曲溝が形成され、湾曲溝が前記連通孔と互いに対応するように上部と下部を組合せたことを特徴とする、第１考案に記載の通気性に優れた枕を提供する。
【０００８】
本願の第３考案は、前記収容部に優れた通気性を有するネット部材が設けられることを特徴とする、第２考案に記載の通気性に優れた枕を提供する。
【考案の効果】
【０００９】
本考案は、上面と下面に夫々湾曲面が形成される枕本体を有し、該湾曲面に収容部が形成され、該収容部に所定の間隔で複数の凸部が設けられると共に、中央に凹部が形成され、収容部と凹部の底部に複数の円錐状の通気孔が形成され、枕本体の内部に該通気孔と連通する複数の連通孔が形成されることにより、優れた通気性を達成すると共に、不良の睡眠姿勢によって生じる窒息の問題を防止できる。
【考案を実施するための最良の形態】
【００１０】
以下に、添付した図面を参照して本考案の好適な実施の形態を詳細に説明する。
尚、下記実施例は、本考案の好適な実施の形態を示したものにすぎず、本考案の技術的範囲は、以降の実施例そのものに何ら限定されるものではない。
【００１１】
図１は本考案に係る通気性に優れた枕の一部斜視断面図であり、図２は本考案に係る通気性に優れた枕の側面図であり、図３は本考案に係る通気性に優れた枕の使用状態を示す斜視図であり、図４は本考案に係る通気性に優れた枕の他の実施例を示す斜視図である。
【００１２】
図１及び図２に示すように、本考案に係る通気性に優れた枕は、上面と下面に夫々湾曲面（１１）（１２）が形成される枕本体（１０）を有し、該湾曲面（１１）（１２）に収容部（１３）が形成され、該収容部（１３）に所定の間隔で複数の凸部（１４）が設けられると共に、中央に例えば楕円形又は多辺形の凹部（１５）が形成され、又、収容部（１３）と凹部（１５）の底部に複数の円錐状の通気孔（１６）が形成され、枕本体（１０）の内部に該通気孔（１６）と連通する複数の連通孔（１７）が形成される。
【００１３】
本実施例において、枕本体（１０）は異なる素材の上部（１８）と下部（１９）を組合せてなり、該上部（１８）と下部（１９）の外側に前記収容部（１３）、凸部（１４）、通気孔（１６）及び凹部（１５）が設けられ、又、該上部（１８）と下部（１９）の内側に複数の半円形の湾曲溝（１８１）（１９１）が形成され、上部（１８）と下部（１９）を組合わせる際、互いに対応する湾曲溝（１８１）（１９１）が前記連通孔（１７）となる。
【００１４】
又、図３に示すように、本考案に係る通気性に優れた枕を使用する場合、枕本体（１０）の湾曲面（１１）（１２）が頭と頚部を支え、凸部（１４）によって頭又は頚部と枕本体（１０）との間に隙間が形成され、該隙間により、通気性を向上することができる。
【００１５】
又、空気が連通孔（１７）、通気孔（１６）及び前記の隙間を通じて収容部（１３）と凹部（１５）に流動することにより、不良の睡眠姿勢によって窒息問題を防止できる。
【００１６】
又、図４に示すように、本考案に係る通気性に優れた枕の他の実施例は、前記実施例と殆ど等しく、異なるのは、前記収容部（１３）に優れた通気性を有するネット部材（２０）が設けられることにより、枕の快適性を向上することができる。
【００１７】
本実施例に係る通気性に優れた枕は上記の構成を有するので、上面と下面に夫々湾曲面が形成される枕本体を有し、該湾曲面に収容部が形成され、該収容部に所定の間隔で複数の凸部が設けられると共に、中央に凹部が形成され、又、収容部と凹部の底部に複数の円錐状の通気孔が形成され、枕本体の内部に該通気孔と連通する複数の連通孔が形成されることにより、優れた通気性を達成すると共に、不良の睡眠姿勢によって生じる窒息問題を防止できる。
【図面の簡単な説明】
【００１８】
【図１】本考案に係る通気性に優れた枕の一部斜視断面図である。
【図２】本考案に係る通気性に優れた枕の側面図である。
【図３】本考案に係る通気性に優れた枕の使用状態を示す斜視図である。
【図４】本考案に係る通気性に優れた枕の他の実施例を示す斜視図である。
【符号の説明】
【００１９】
１０・・・・枕本体
１１・・・・湾曲面
１２・・・・湾曲面
１３・・・・収容部
１４・・・・凸部
１５・・・・凹部
１６・・・・通気孔
１７・・・・連通孔
１８・・・・上部
１８１・・・湾曲溝
１９・・・・下部
１９１・・・湾曲溝
２０・・・・ネット部材
【図１】
0003110529.tif 000003
【図２】
0003110529.tif 000004
【図３】
0003110529.tif 000005
【図４】
0003110529.tif 000006